(57)【要約】      （修正有）【課題】携帯型電子装置を置くことができ、９０度回転させ、携帯型電子装置を見る際の利便性を向上させられるセットアップテーブルを提供する。【解決手段】セットアップテーブルは、テーブル面２、フレーム体３、２本のシャフトユニット４、脚フレームユニットＤを備え、シャフトユニット４はテーブル面２とフレーム体３とを連結し、これによりテーブル面２は９０度の回転が可能となり、脚フレームユニットＤの第一側脚フレーム５と第二側脚フレーム６は、外へと広げ、セットアップテーブルを支えて立たせることができ、使用しない時には、折畳み、テーブル面２内側面２７に収納することができ、上記した構成部材により組成し、テーブル面２を９０度回すことができ、携帯型電子装置を見ることの利便性を向上させることができる。【選択図】図４
0003168464.tif 000002
【実用新案登録請求の範囲】
【請求項１】
テーブル面、フレーム体、２本のシャフトユニット、脚フレームユニットを備え、
前記テーブル面は、正面に、携帯式電子装置を置くことができ、
前記フレーム体は、前記テーブル面内側面に配置され、前記フレーム体両側には、第一定位プラットフォーム、第二定位プラットフォームをそれぞれ設置し、前記第二定位プラットフォームは、前記固定台と結合して固定され、
前記２本のシャフトユニットは、前記テーブル面と前記フレーム体とを連結し、前記シャフトユニットは、抵抗シャフトと定位台により組成し、
前記抵抗シャフトの一端には、平板を設置し、前記テーブル面の連結部に固定して設置し、前記抵抗シャフトの他方端には、ネジ孔と端軸を設置し、
前記定位台の片側には、横向き軸孔を設置し、これに前記抵抗シャフトの端軸を挿入し、孔台において位置を限定し、前記定位台の中央には、縦向き軸孔とプラットフォームを設置し、前記プラットフォームは、前記フレーム体の第一定位プラットフォームに螺設し、
前記脚フレームユニットは、前記フレーム体底部に設置し、前記脚フレームユニットは、少なくとも第一側脚フレーム、第二側脚フレームを備え、
上記した構成部材により組成し、前記テーブル面を９０度回すことができ、携帯型電子装置を見ることに便利で、前記脚フレームユニットを外へと広げ、セットアップテーブルを支えて立たせることができ、
使用しない時には、折畳み、前記テーブル面内側面に収納することができることを特徴とするセットアップテーブル。
【請求項２】
前記テーブル面の正面上には、少なくとも１個の通風口を設置し、
前記テーブル面の内側面の、前記通風口に対応する位置には、少なくとも１個の散熱ファンを設置することを特徴とする請求項１に記載のセットアップテーブル。
【請求項３】
前記フレーム体片側にはさらに、脚フレーム固定台を設置し、
前記脚フレーム固定台は、磁性を備え、これにより前記第一側脚フレームを吸着して固定することを特徴とする請求項１に記載のセットアップテーブル。
【請求項４】
前記フレーム体の片側にはさらに、脚フレーム固定台を設置し、
前記脚フレーム固定台は、Ｃ型槽を備え、これにより前記第一側脚フレームを固定することを特徴とする請求項１に記載のセットアップテーブル。
【請求項５】
前記第一側脚フレームの他方側には、横棒部を設置し、
前記横棒部上には、少なくとも１個の固定板を嵌めることを特徴とする請求項１に記載のセットアップテーブル。
【請求項６】
前記第二側脚フレームの他方側には、横棒部を設置し、
前記横棒部上には、少なくとも１個のクッション体を嵌めることを特徴とする請求項１に記載のセットアップテーブル。
【請求項７】
前記テーブル面の底側には、サポート板を設置し、前記テーブル面内側面の底側には、第一軸台を設置し、これにより前記サポート板底側の第二軸台と相互に可動状に接続し、これに、第一支軸を挿入することで、前記サポート板回転の軸心を形成することを特徴とする請求項１に記載のセットアップテーブル。
【請求項８】
前記テーブル面の正面上には、少なくとも１個の通風口を設置し、
前記テーブル面の内側面の、前記通風口に対応する位置には、少なくとも１個の散熱ファンを設置し、
前記テーブル面２の側辺には、USBポートを設置し、これにより前記散熱ファンに電力を供給することを特徴とする請求項１に記載のセットアップテーブル。
【請求項９】
前記前記テーブル面の片側辺には、ベルト体一端を固定し、他方の側辺には、ベルト体固定部を設置し、
前記ベルト体固定部には、前記ベルト体の自由端を粘着結合して定位することを特徴とする請求項１に記載のセットアップテーブル。
【請求項１０】
前記脚フレームユニットの第一側脚フレームは、片側に、第一脚端と第二脚端を備え、  前記第一脚端は、前記シャフトユニット４の内の１本の定位台の縦向き軸孔内に設置し、
前記第二脚端は、前記テーブル面内側面の片側の第二定位プラットフォームと固定台結合の位置限定槽内に設置することを特徴とする請求項１に記載のセットアップテーブル。
【請求項１１】
前記脚フレームユニットの第二側脚フレームは、片側に、第三脚端と第四脚端を備え、  前記第三脚端は、他方の前記シャフトユニットの定位台の縦向き軸孔内に設置し、
前記第四脚端は、前記テーブル面内側面の他方側の第二定位プラットフォームと固定台結合の位置限定槽内に設置することを特徴とする請求項１に記載のセットアップテーブル。
【請求項１２】
前記脚フレームユニットの第一側脚フレームと第二側脚フレームは、各２本のサポートフレームにより組成し、
前記４本のサポートフレームを外側へと広げ、セットアップテーブルを支えて立たせることができ、
前記４本のサポートフレームは、使用しない時には、前記テーブル面内側面に収納することができることを特徴とする請求項１に記載のセットアップテーブル。
【請求項１３】
前記テーブル面の内側面中央には、第三軸台を設置し、
前記フレーム体下縁には、少なくとも１個の第四軸台を設置し、
前記第四軸台は、前記第三軸台と相互に可動状に接続し、これに第二支軸を挿入し、前記テーブル面回転の軸心を形成することを特徴とする請求項１に記載のセットアップテーブル。
【考案の詳細な説明】
【技術分野】
【０００１】
本考案はセットアップテーブルに関し、特に携帯型電子装置を置くことができ、９０度回転させ、携帯型電子装置を見る際の利便性を向上させられるセットアップテーブルに関する。
【背景技術】
【０００２】
コンピューターの使用が普及するに従い、どこの家庭にも、少なくとも１台はコンピューターがあるという時代になっている。しかし、伝統的なデスクトップコンピューターは、体積が大きいため携帯に不向きで、さらに大きなスペースを占拠するため、生活環境に余裕がない都会では、不便なものである。
【０００３】
そのため、携帯に便利なノート型コンピューターが、幅広く流行し始めている。ノート型コンピューターは、使用の利便性を備えるため、ユーザーは、ベッドの上や車内にいても、或いは床に直接座っていても、操作が可能である。しかし、適当なサポート体(テーブルなど)により本体を支え、或いは置くことができないため、使用が長時間になれば、視覚の不良が負担になり、使用者は疲労してしまう。
【０００４】
上記した問題を解決するため、各種携帯型コンピューター用テーブルが開発されている。例えば、特許文献１(図１参照)に開示する構造は、テーブル体１１１、テーブル板１１２、４本のサポートテーブル脚１１３により組成する。テーブル板１１２には、ノート型コンピューターを置くことができ、視覚角度を調整することができる。しかし、テーブル板１１２が調整可能な角度には限界があるという、使用における欠点が存在する。調整可能な角度の限界の存在は、テーブル板１１２に、ノート型コンピューターを固定する構造がないためで、特に、２人以上で同時にスクリーンを見る際には、適した角度に調整することは非常に難しい。しかも、４本のサポートテーブル脚１１３は、同時に同一の高さに調整しなければならないため、非常に時間がかかる。
【０００５】
特許文献２(図２参照)に開示する構造は、テーブル体１２１、フリップカバーテーブル板１２２、２本のテーブル脚棒１２３により組成する。この構造は、上記した特許文献１とおおよそ相同であるが、フリップカバーテーブル板１２２を利用し、その上に置くノート型コンピューターの視覚角度を調整することができる。しかし、構造上の制限があるため、より大きい角度の調整を行うことは難しい。特許文献２に開示する構造における唯一の進歩は、２本のテーブル脚棒１２３で、特許文献１に開示する構造に比べ、調整が容易である。
【０００６】
類似のノート型コンピューター用テーブルの構造には、特許文献３、４、５、６、７、８(以下、従来のノート型コンピューター用テーブルと略称)がある。これらにはすべて、以下のような欠点がある。
1.従来のノート型コンピューター用テーブルは、体積が大きく重いため、携帯に不便である。
2.従来のノート型コンピューター用テーブルでは、視覚角度を調整するための組成部品が多過ぎ、製造コストが高い他、操作の簡易性と利便性も十分でない。
3.多くの人が同時に一台のノート型コンピューターを見る時、理想的な視覚角度は、スクリーンが垂直である位置だが、従来のノート型コンピューター用テーブルで、その視覚角度の傾斜を大きくし過ぎてしまえば、ノート型コンピューターを固定する構造がないため、ノート型コンピューターは従来のノート型コンピューター用テーブルから滑り落ちてしまい、ノート型コンピューターを破損する恐れがある。そのため、従来のノート型コンピューター用テーブルでは、調整可能な角度に限界があるという状況が原因で、しばしば死角が生まれ、ノート型コンピューターの視覚品質に悪影響を及ぼしている。
【先行技術文献】
【特許文献】
【０００７】
【特許文献１】台湾実用新案第M363839号明細書
【特許文献２】台湾実用新案第M380054号明細書
【特許文献３】台湾実用新案第M352877号明細書
【特許文献４】台湾実用新案第M337773号明細書
【特許文献５】台湾実用新案第M536113号明細書
【特許文献６】台湾実用新案第M276493号明細書
【特許文献７】台湾実用新案第M307335号明細書
【特許文献８】台湾実用新案第M336463号明細書
【考案の概要】
【考案が解決しようとする課題】
【０００８】
本考案が解決しようとする課題は、９０度回転させられるため、携帯型電子装置を見るに便利であるセットアップテーブルを提供することである。
【課題を解決するための手段】
【０００９】
上記課題を解決するため、本考案は下記のセットアップテーブルを提供する。
セットアップテーブルは、テーブル面、フレーム体、２本のシャフトユニット、脚フレームユニットを備え、
該シャフトユニットは、該テーブル面と該フレーム体とを可動状に接続し、これにより該テーブル面は９０度の回転が可能となり、
該脚フレームユニットの第一側脚フレームと第二側脚フレームは、外へと広げ、セットアップテーブルを支えて立たせることができ、
使用しない時には、折畳み、該テーブル面内側面に収納することができ、
上記した構成部材により組成し、テーブル面を９０度回すことができ、携帯型電子装置を見るの利便性を向上させることができ、
該シャフトユニットは、抵抗シャフトと定位台により組成し、
該テーブル面は、内側面の両側に、それぞれ連結部を設置し、該連結部には、抵抗シャフトの一端を固定して設置でき、
該フレーム体両側には、該シャフトユニットと第一、第二側脚フレームを設置して結合し、これにより該第一、第二側脚フレームは、展開して直立し、或いは収納され、
該フレーム体の前縁には、抵抗シャフトを設置し、該抵抗シャフトにより、該テーブル面内側面中央部位と連結し、これにより該テーブル面は、傾斜角度を随意に調整可能で、及びその角度を固定可能で、
該フレーム体片側にはさらに、脚フレーム固定台を設置し、該脚フレーム固定台は、磁性を備え、これにより金属製の該第一側脚フレームを吸着して固定し、収納後の第一、第二側脚フレームを固定することができ、
該脚フレーム固定台は、Ｃ型槽を備え、これにより該第一側脚フレームの位置を限定し、収納後の第一、第二側脚フレームを固定することができる。
【考案の効果】
【００１０】
本考案のセットアップテーブルは、軽量でコンパクトなため携帯に便利で、構成部材が少ないため、操作も簡単で、展開及び収納は容易で、さらにテーブル面を９０度まで回せるため、水平から垂直までの任意の角度で、携帯型電子装置を見ることができる。
【図面の簡単な説明】
【００１１】
【図１】従来の構造の立体模式図(一)である。
【図２】従来の構造の立体模式図(二)である。
【図３】本考案の立体図である。
【図４】本考案の立体分解図である。
【図５】本考案シャフトユニットの立体分解図である。
【図６】本考案の組合せ平面図である。
【図７】本考案の展開模式図である。
【図８】本考案の回転操作図である。
【図９】本考案回転操作時の局部断面図である。
【図１０】本考案展開時の局部断面図である。
【図１１】本考案第一実施例の模式図である。
【図１２】本考案の折畳み模式図である。
【図１３】本考案折畳み時の局部断面図である。
【図１４】本考案第二実施例の局部立体模式図である。
【図１５】本考案第二実施例の立体分解図である。
【図１６】本考案第二実施例の立体模式図である。
【考案を実施するための形態】
【００１２】
図３、４、５、６、１１に示すように、本考案セットアップテーブルAは、テーブル面２、フレーム体３、２本のシャフトユニット４、脚フレームユニットDを備える。
【００１３】
テーブル面２は、正面２１に、携帯型電子装置７を置くことができる。正面２１の下側は窪み、収容槽２１１を設置し、しかも正面２１上には、少なくとも１個の通風口２１２を設置する。テーブル面２の片側辺には、ベルト体２４一端を固定し、他方の側辺２３には、USBポート２３１、ベルト体固定部２３２を設置する。USBポート２３１内側には、コンセント２６を連結し、散熱ファン２８が必要とする電力を提供する。ベルト体固定部２３２には、ベルト体２４の自由端２４１を粘着結合して定位する。テーブル面２の内側面２７底側には、第一軸台２５を設置し、サポート板２２底側の第二軸台２２１と相互に可動状に接続する。これに、第一支軸２２２を挿入することで、サポート板２２回転の軸心を形成する。内側面２７両側には、連結部２７１と孔台２７２をそれぞれ設置する。連結部２７１は、少なくとも１個のネジ孔２７３を備え、通風口２１２に対応する位置に、少なくとも１個の散熱ファン２８を設置する。テーブル面２の内側面２７中央には、第三軸台２８１を設置する。
【００１４】
フレーム体３は、テーブル面２内側面２７の上半部に配置する。フレーム体３両側には、第一定位プラットフォーム３１、第二定位プラットフォーム３３をそれぞれ設置する。第二定位プラットフォーム３３は、固定台３２と結合して固定される。固定台３２は、位置限定槽３２１を備える。フレーム体３上の、散熱ファン２８に対応する位置には、底殻台３４を設置し、散熱ファン２８を収容する。フレーム体３下縁には、少なくとも１個の第四軸台３５を設置する。第四軸台３５は、第三軸台２８１と相互に可動状に接続し、これに第二支軸３６を挿入し、テーブル面２回転の軸心を形成する。しかも、フレーム体３片側にはさらに、脚フレーム固定台３７を設置する。脚フレーム固定台３７は、磁性を備える。
【００１５】
２本のシャフトユニット４は、テーブル面２とフレーム体３を連結する。シャフトユニット４は、抵抗シャフト４１と定位台４２により組成する。抵抗シャフト４１の一端には、平板４１１を設置し、連結部２７１上に固定して設置する。平板４１１上には、少なくとも１個の貫通孔４１２を設置する。抵抗シャフト４１の他方端には、ネジ孔４１３と端軸４１４を設置する。定位台４２の片側には、横向き軸孔４２１を設置し、これに抵抗シャフト４１の端軸４１４を挿入し、孔台２７２において位置を限定する。横向き軸孔４２１頂点には、穿孔４２２を設置し、これにボルトBを挿入して、抵抗シャフト４１のネジ孔４１３に螺合して固定する。定位台４２の中央には、縦向き軸孔４２３とプラットフォーム４２４を設置する。縦向き軸孔４２３の他方側には、突出板４２６を設置する。プラットフォーム４２４上には、少なくとも１個の貫通孔４２５を設置し、対応する少なくとも１個のボルトBにより、第一定位プラットフォーム３１において螺設する。
【００１６】
脚フレームユニットDは、フレーム体３底部に設置し、少なくとも第一側脚フレーム５、第二側脚フレーム６を備える。第一側脚フレーム５は、片側に、第一脚端５１と第二脚端５２を備える。第一脚端５１は、シャフトユニット４の内の１本の定位台４２の縦向き軸孔４２３内に設置し、第二脚端５２は、テーブル面２内側面の片側の第二定位プラットフォーム３３と固定台３２結合の位置限定槽３２１内に設置する。第一側脚フレーム５の他方側には、横棒部５３を設置し、その上には、少なくとも１個の固定板５４を嵌める。
【００１７】
第二側脚フレーム６は、片側に、第三脚端６１と第四脚端６２を備える。第三脚端６１は、他方のシャフトユニット４の定位台４２の縦向き軸孔４２３内に設置し、第四脚端６２は、テーブル面２内側面の他方側の第二定位プラットフォーム３３と固定台３２結合の位置限定槽３２１内に設置する。第二側脚フレーム６の他方側には、横棒部６３を設置し、その上には、少なくとも１個のクッション体６４を嵌める。
【００１８】
上記した構成部材により組成するセットアップテーブルAの使用時には、図７、１０に示すように、先ず、脚フレームユニットDの第一側脚フレーム５と第二側脚フレーム６を、内から外へと広げる。次に、図８、９、１１に示すように、抵抗シャフト４１を軸心として、テーブル面２を必要な角度まで回転させ(回転の最大角度は９０度)、サポート板２２を外側へと翻し、テーブル面２と垂直にする。こうして、携帯型電子装置７を、テーブル面２上に置いた時、携帯型電子装置７の底部を支える。さらに、ベルト体２４により、携帯型電子装置７の上側の枠を緊密に固定し、ベルト体２４の自由端２４１を、ベルト体固定部２３２に粘着結合し、携帯型電子装置７の設置と固定を完成し、便利な視覚環境を形成することができる。
【００１９】
セットアップテーブルAを使用しない時には、先ず、携帯型電子装置７を取外し、次に、サポート板２２を閉め、収容槽２１１に収容する。さらに、上記とは反対の操作で、順番に、第二側脚フレーム６、第一側脚フレーム５を内向きに折畳む(図１２、１３参照)。第一側脚フレーム５の横棒部５３は、スチール製であるため、脚フレーム固定台３７の磁性に吸着され固定され、これにより第一側脚フレーム５を定位し、収納後の第一、第二側脚フレーム５、６を固定する。
【００２０】
抵抗シャフト４１は、回転の抵抗を備えるため、任意の角度まで回転させるだけで、その角度を維持することができる。別に力を加えない限り、そしてその力が、抵抗シャフト４１の抵抗力より大きくなければ、それ以上動くことはないため、テーブル面２を、水平状態から垂直の９０度へと回転させ、その間の任意の位置に留めることができる。
【００２１】
図１４は、本考案の第二実施例を示す。脚フレーム固定台３７’は、Ｃ型槽３７１’を備える。Ｃ型槽３７１’は、プラスチック製の台体であるため、第一側脚フレーム５の横棒部５３を収容して固定し、これにより第一側脚フレーム５の位置を限定し、収納後の第一、第二側脚フレーム５、６を固定することができる。
【００２２】
図１５、１６に示すように、本考案の第二実施例では、第一側脚フレーム５と第二側脚フレーム６は、各２本のサポートフレームD１、D２、D３、D４により組成する。４本のサポートフレームD１、D２、D３、D４を外側へと広げ、セットアップテーブルAを支えて立たせることができる。４本のサポートフレームD１、D２、D３、D４は、使用しない時には、テーブル面２内側面２７に収納することができる。
【符号の説明】
【００２３】
１１１  テーブル体
１１２  テーブル板
１１３  サポートテーブル脚
１２１  テーブル体
１２２  フリップカバーテーブル板
１２３  テーブル脚棒
２  テーブル面
２１  正面
２１１  収容槽
２１２  通風口
２２  サポート板
２２１  第二軸台
２２２  第一支軸
２３  側辺
２３１  USBポート
２３２  ベルト体固定部
２４  ベルト体
２４１  自由端
２５  第一軸台
２６  コンセント
２７  内側面
２７１  連結部
２７２  孔台
２７３  ネジ孔
２８  散熱ファン
２８１  第三軸台
３  フレーム体
３１  第一定位プラットフォーム
３２  固定台
３２１  位置限定槽
３３  第二定位プラットフォーム
３４  底殻台
３５  第四軸台
３６  第二支軸
３７、３７’  脚フレーム固定台
３７１’  Ｃ型槽
４  シャフトユニット
４１  抵抗シャフト
４１１  平板
４１２  貫通孔
４１３  ネジ孔
４１４  端軸
４２  定位台
４２１  横向き軸孔
４２２  穿孔
４２３  縦向き軸孔
４２４  プラットフォーム
４２５  貫通孔
４２６  突出板
５  第一側脚フレーム
５１  第一脚端
５２  第二脚端
５３  横棒部
５４  固定板
６  第二側脚フレーム
６１  第三脚端
６２  第四脚端
６３  横棒部
６４  クッション体
７  携帯型電子装置
A  セットアップテーブル
B  ボルト
D  脚フレームユニット
D１、D２、D３、D４  サポートフレーム
【図１】
0003168464.tif 000003
【図２】
0003168464.tif 000004
【図３】
0003168464.tif 000005
【図４】
0003168464.tif 000006
【図５】
0003168464.tif 000007
【図６】
0003168464.tif 000008
【図７】
0003168464.tif 000009
【図８】
0003168464.tif 000010
【図９】
0003168464.tif 000011
【図１０】
0003168464.tif 000012
【図１１】
0003168464.tif 000013
【図１２】
0003168464.tif 000014
【図１３】
0003168464.tif 000015
【図１４】
0003168464.tif 000016
【図１５】
0003168464.tif 000017
【図１６】
0003168464.tif 000018
【手続補正書】
【提出日】平成23年4月1日(2011.4.1)
【手続補正１】
【補正対象書類名】明細書
【補正対象項目名】全文
【補正方法】変更
【補正の内容】
【考案の詳細な説明】
【技術分野】
【０００１】
本考案はセットアップテーブルに関し、特に携帯型電子装置を置くことができ、９０度回転させ、携帯型電子装置を見る際の利便性を向上させられるセットアップテーブルに関する。
【背景技術】
【０００２】
コンピューターの使用が普及するに従い、どこの家庭にも、少なくとも１台はコンピューターがあるという時代になっている。しかし、伝統的なデスクトップコンピューターは、体積が大きいため携帯に不向きで、さらに大きなスペースを占拠するため、生活環境に余裕がない都会では、不便なものである。
【０００３】
そのため、携帯に便利なノート型コンピューターが、幅広く流行し始めている。ノート型コンピューターは、使用の利便性を備えるため、ユーザーは、ベッドの上や車内にいても、或いは床に直接座っていても、操作が可能である。しかし、適当なサポート体(テーブルなど)により本体を支え、或いは置くことができないため、使用が長時間になれば、視覚の不良が負担になり、使用者は疲労してしまう。
【０００４】
上記した問題を解決するため、各種携帯型コンピューター用テーブルが開発されている。例えば、特許文献１(図１参照)に開示する構造は、テーブル体１１１、テーブル板１１２、４本のサポートテーブル脚１１３により組成する。テーブル板１１２には、ノート型コンピューターを置くことができ、視覚角度を調整することができる。しかし、テーブル板１１２が調整可能な角度には限界があるという、使用における欠点が存在する。調整可能な角度の限界の存在は、テーブル板１１２に、ノート型コンピューターを固定する構造がないためで、特に、２人以上で同時にスクリーンを見る際には、適した角度に調整することは非常に難しい。しかも、４本のサポートテーブル脚１１３は、同時に同一の高さに調整しなければならないため、非常に時間がかかる。
【０００５】
特許文献２(図２参照)に開示する構造は、テーブル体１２１、フリップカバーテーブル板１２２、２本のテーブル脚棒１２３により組成する。この構造は、上記した特許文献１とおおよそ相同であるが、フリップカバーテーブル板１２２を利用し、その上に置くノート型コンピューターの視覚角度を調整することができる。しかし、構造上の制限があるため、より大きい角度の調整を行うことは難しい。特許文献２に開示する構造における唯一の進歩は、２本のテーブル脚棒１２３で、特許文献１に開示する構造に比べ、調整が容易である。
【０００６】
類似のノート型コンピューター用テーブルの構造には、特許文献３、４、５、６、７、８(以下、従来のノート型コンピューター用テーブルと略称)がある。これらにはすべて、以下のような欠点がある。
1.従来のノート型コンピューター用テーブルは、体積が大きく重いため、携帯に不便である。
2.従来のノート型コンピューター用テーブルでは、視覚角度を調整するための組成部品が多過ぎ、製造コストが高い他、操作の簡易性と利便性も十分でない。
3.多くの人が同時に一台のノート型コンピューターを見る時、理想的な視覚角度は、スクリーンが垂直である位置だが、従来のノート型コンピューター用テーブルで、その視覚角度の傾斜を大きくし過ぎてしまえば、ノート型コンピューターを固定する構造がないため、ノート型コンピューターは従来のノート型コンピューター用テーブルから滑り落ちてしまい、ノート型コンピューターを破損する恐れがある。そのため、従来のノート型コンピューター用テーブルでは、調整可能な角度に限界があるという状況が原因で、しばしば死角が生まれ、ノート型コンピューターの視覚品質に悪影響を及ぼしている。
【先行技術文献】
【特許文献】
【０００７】
【特許文献１】台湾実用新案第M363839号明細書
【特許文献２】台湾実用新案第M380054号明細書
【特許文献３】台湾実用新案第M352877号明細書
【特許文献４】台湾実用新案第M337773号明細書
【特許文献５】台湾実用新案第M536113号明細書
【特許文献６】台湾実用新案第M276493号明細書
【特許文献７】台湾実用新案第M307335号明細書
【特許文献８】台湾実用新案第M336463号明細書
【考案の概要】
【考案が解決しようとする課題】
【０００８】
本考案が解決しようとする課題は、９０度回転させられるため、携帯型電子装置を見るに便利であるセットアップテーブルを提供することである。
【課題を解決するための手段】
【０００９】
上記課題を解決するため、本考案は下記のセットアップテーブルを提供する。
セットアップテーブルは、テーブル面、フレーム体、２本のシャフトユニット、脚フレームユニットを備え、
該シャフトユニットは、該テーブル面と該フレーム体とを可動状に接続し、これにより該テーブル面は９０度の回転が可能となり、
該脚フレームユニットの第一側脚フレームと第二側脚フレームは、外へと広げ、セットアップテーブルを支えて立たせることができ、
使用しない時には、折畳み、該テーブル面の背面に収納することができ、
上記した構成部材により組成し、テーブル面を９０度回すことができ、携帯型電子装置を見るの利便性を向上させることができ、
該シャフトユニットは、抵抗シャフトと定位台により組成し、
該テーブル面の背面の両側に、それぞれ連結部を設置し、該連結部には、抵抗シャフトの一端を固定して設置でき、
該フレーム体両側には、該シャフトユニットと第一、第二側脚フレームを設置して結合し、これにより該第一、第二側脚フレームは、展開して直立し、或いは収納され、
該フレーム体の前縁には、抵抗シャフトを設置し、該抵抗シャフトにより、該テーブル面の背面中央部位と連結し、これにより該テーブル面は、傾斜角度を随意に調整可能で、  及びその角度を固定可能で、
該フレーム体片側にはさらに、脚フレーム固定台を設置し、該脚フレーム固定台は、磁性を備え、これにより金属製の該第一側脚フレームを吸着して固定し、収納後の第一、第二側脚フレームを固定することができ、
該脚フレーム固定台は、Ｃ型槽を備え、これにより該第一側脚フレームの位置を限定し、収納後の第一、第二側脚フレームを固定することができる。
【考案の効果】
【００１０】
本考案のセットアップテーブルは、軽量でコンパクトなため携帯に便利で、構成部材が少ないため、操作も簡単で、展開及び収納は容易で、さらにテーブル面を９０度まで回せるため、水平から垂直までの任意の角度で、携帯型電子装置を見ることができる。
【図面の簡単な説明】
【００１１】
【図１】従来の構造の立体模式図(一)である。
【図２】従来の構造の立体模式図(二)である。
【図３】本考案の立体図である。
【図４】本考案の立体分解図である。
【図５】本考案シャフトユニットの立体分解図である。
【図６】本考案の組合せ平面図である。
【図７】本考案の展開模式図である。
【図８】本考案の回転操作図である。
【図９】本考案回転操作時の局部断面図である。
【図１０】本考案展開時の局部断面図である。
【図１１】本考案第一実施例の模式図である。
【図１２】本考案の折畳み模式図である。
【図１３】本考案折畳み時の局部断面図である。
【図１４】本考案第二実施例の局部立体模式図である。
【図１５】本考案第二実施例の立体分解図である。
【図１６】本考案第二実施例の立体模式図である。
【考案を実施するための形態】
【００１２】
図３、４、５、６、１１に示すように、本考案セットアップテーブルAは、テーブル面２、フレーム体３、２本のシャフトユニット４、脚フレームユニットDを備える。
【００１３】
テーブル面２は、正面２１に、携帯型電子装置７を置くことができる。正面２１の下側は窪み、収容槽２１１を設置し、しかも正面２１上には、少なくとも１個の通風口２１２を設置する。テーブル面２の片側辺には、ベルト体２４一端を固定し、他方の側辺２３には、USBポート２３１、ベルト体固定部２３２を設置する。USBポート２３１内側には、コンセント２６を連結し、散熱ファン２８が必要とする電力を提供する。ベルト体固定部２３２には、ベルト体２４の自由端２４１を粘着結合して定位する。テーブル面２の背面２７底側には、第一軸台２５を設置し、サポート板２２底側の第二軸台２２１と相互に可動状に接続する。これに、第一支軸２２２を挿入することで、サポート板２２回転の軸心を形成する。該テーブル面の背面２７の両側には、連結部２７１と孔台２７２をそれぞれ設置する。連結部２７１は、少なくとも１個のネジ孔２７３を備え、通風口２１２に対応する位置に、少なくとも１個の散熱ファン２８を設置する。テーブル面２の背面２７中央には、第三軸台２８１を設置する。
【００１４】
フレーム体３は、テーブル面２の背面の上半部に配置する。フレーム体３の左右両側には、第一定位プラットフォーム３１、第二定位プラットフォーム３３をそれぞれ設置し、第一定位プラットフォーム及び第二定位プラットフォームには、それぞれ締め付け孔を備える。第二定位プラットフォーム３３は、固定台３２と結合して固定され、固定台３２には、締め付け孔を備える。固定台３２は、位置限定槽３２１を備える。フレーム体３上の、散熱ファン２８に対応する位置には、底殻台３４を設置し、散熱ファン２８を収容する。フレーム体３下縁には、少なくとも１個の第四軸台３５を設置する。第四軸台３５は、第三軸台２８１と相互に可動状に接続し、これに第二支軸３６を挿入し、テーブル面２回転の軸心を形成する。しかも、フレーム体３片側にはさらに、脚フレーム固定台３７を設置する。脚フレーム固定台３７は、磁性を備える。
【００１５】
２本のシャフトユニット４は、テーブル面２とフレーム体３を連結する。シャフトユニット４は、抵抗シャフト４１と定位台４２により組成する。抵抗シャフト４１の一端には、平板４１１を設置し、連結部２７１上に固定して設置する。平板４１１上には、少なくとも１個の貫通孔４１２を設置する。抵抗シャフト４１の他方端には、ネジ孔４１３と端軸４１４を設置する。定位台４２の片側には、横向き軸孔４２１を設置し、これに抵抗シャフト４１の端軸４１４を挿入し、孔台２７２において位置を限定する。横向き軸孔４２１頂点には、穿孔４２２を設置し、これにボルトBを挿入して、抵抗シャフト４１のネジ孔４１３に螺合して固定する。定位台４２の中央には、縦向き軸孔４２３とプラットフォーム４２４を設置する。縦向き軸孔４２３の他方側には、突出板４２６を設置する。プラットフォーム４２４上には、少なくとも１個の貫通孔４２５を設置し、対応する少なくとも１個のボルトBにより、第一定位プラットフォーム３１において螺設する。
【００１６】
脚フレームユニットDは、フレーム体３底部に設置し、少なくとも第一側脚フレーム５、第二側脚フレーム６を備える。第一側脚フレーム５は、片側に、第一脚端５１と第二脚端５２を備える。第一脚端５１は、シャフトユニット４の内の１本の定位台４２の縦向き軸孔４２３内に設置し、第二脚端５２は、テーブル面２の背面の片側の第二定位プラットフォーム３３と固定台３２結合の位置限定槽３２１内に設置する。第一側脚フレーム５の他方側には、横棒部５３を設置し、その上には、少なくとも１個の固定板５４を嵌める。
【００１７】
第二側脚フレーム６は、片側に、第三脚端６１と第四脚端６２を備える。第三脚端６１は、他方のシャフトユニット４の定位台４２の縦向き軸孔４２３内に設置し、第四脚端６２は、テーブル面２の背面の他方側の第二定位プラットフォーム３３と固定台３２結合の位置限定槽３２１内に設置する。第二側脚フレーム６の他方側には、横棒部６３を設置し、その上には、少なくとも１個のクッション体６４を嵌める。
【００１８】
上記した構成部材により組成するセットアップテーブルAの使用時には、図７、１０に示すように、先ず、脚フレームユニットDの第一側脚フレーム５と第二側脚フレーム６を、内から外へと広げる。次に、図８、９、１１に示すように、抵抗シャフト４１を軸心として、テーブル面２を必要な角度まで回転させ(回転の最大角度は９０度)、サポート板２２を外側へと翻し、テーブル面２と垂直にする。こうして、携帯型電子装置７を、テーブル面２上に置いた時、携帯型電子装置７の底部を支える。さらに、ベルト体２４により、携帯型電子装置７の上側の枠を緊密に固定し、ベルト体２４の自由端２４１を、ベルト体固定部２３２に粘着結合し、携帯型電子装置７の設置と固定を完成し、便利な視覚環境を形成することができる。
【００１９】
セットアップテーブルAを使用しない時には、先ず、携帯型電子装置７を取外し、次に、サポート板２２を閉め、収容槽２１１に収容する。さらに、上記とは反対の操作で、順番に、第二側脚フレーム６、第一側脚フレーム５を内向きに折畳む(図１２、１３参照)。第一側脚フレーム５の横棒部５３は、スチール製であるため、脚フレーム固定台３７の磁性に吸着され固定され、これにより第一側脚フレーム５を定位し、収納後の第一、第二側脚フレーム５、６を固定する。
【００２０】
抵抗シャフト４１は、回転の抵抗を備えるため、任意の角度まで回転させるだけで、その角度を維持することができる。別に力を加えない限り、そしてその力が、抵抗シャフト４１の抵抗力より大きくなければ、それ以上動くことはないため、テーブル面２を、水平状態から垂直の９０度へと回転させ、その間の任意の位置に留めることができる。
【００２１】
図１４は、本考案の第二実施例を示す。脚フレーム固定台３７’は、Ｃ型槽３７１’を備える。Ｃ型槽３７１’は、プラスチック製の台体であるため、第一側脚フレーム５の横棒部５３を収容して固定し、これにより第一側脚フレーム５の位置を限定し、収納後の第一、第二側脚フレーム５、６を固定することができる。
【００２２】
図１５、１６に示すように、本考案の第二実施例では、第一側脚フレーム５と第二側脚フレーム６は、各２本のサポートフレームD１、D２、D３、D４により組成する。４本のサポートフレームD１、D２、D３、D４を外側へと広げ、セットアップテーブルAを支えて立たせることができる。４本のサポートフレームD１、D２、D３、D４は、使用しない時には、テーブル面２の背面２７に収納することができる。
【符号の説明】
【００２３】
１１１  テーブル体
１１２  テーブル板
１１３  サポートテーブル脚
１２１  テーブル体
１２２  フリップカバーテーブル板
１２３  テーブル脚棒
２  テーブル面
２１  正面
２１１  収容槽
２１２  通風口
２２  サポート板
２２１  第二軸台
２２２  第一支軸
２３  側辺
２３１  USBポート
２３２  ベルト体固定部
２４  ベルト体
２４１  自由端
２５  第一軸台
２６  コンセント
２７  背面
２７１  連結部
２７２  孔台
２７３  ネジ孔
２８  散熱ファン
２８１  第三軸台
３  フレーム体
３１  第一定位プラットフォーム
３２  固定台
３２１  位置限定槽
３３  第二定位プラットフォーム
３４  底殻台
３５  第四軸台
３６  第二支軸
３７、３７’  脚フレーム固定台
３７１’  Ｃ型槽
４  シャフトユニット
４１  抵抗シャフト
４１１  平板
４１２  貫通孔
４１３  ネジ孔
４１４  端軸
４２  定位台
４２１  横向き軸孔
４２２  穿孔
４２３  縦向き軸孔
４２４  プラットフォーム
４２５  貫通孔
４２６  突出板
５  第一側脚フレーム
５１  第一脚端
５２  第二脚端
５３  横棒部
５４  固定板
６  第二側脚フレーム
６１  第三脚端
６２  第四脚端
６３  横棒部
６４  クッション体
７  携帯型電子装置
A  セットアップテーブル
B  ボルト
D  脚フレームユニット
D１、D２、D３、D４  サポートフレーム
【手続補正２】
【補正対象書類名】実用新案登録請求の範囲
【補正対象項目名】全文
【補正方法】変更
【補正の内容】
【実用新案登録請求の範囲】
【請求項１】
テーブル面、フレーム体、２本のシャフトユニット、脚フレームユニットを備え、
前記テーブル面は、正面に、携帯式電子装置を置くことができ、
前記フレーム体は、前記テーブル面の背面に配置され、前記フレーム体の左右両側には、第一定位プラットフォーム、第二定位プラットフォームをそれぞれ設置し、前記第一定位プラットフォーム及び前記第二定位プラットフォームには、それぞれ締め付け孔を備え、前記第二定位プラットフォームは、固定台と結合して固定され、前記固定台には、締め付け孔を備え、
前記２本のシャフトユニットは、前記テーブル面と前記フレーム体とを連結し、前記シャフトユニットは、抵抗シャフトと定位台により組成し、
前記抵抗シャフトの一端には、平板を設置し、前記テーブル面の連結部に固定して設置し、前記抵抗シャフトの他方端には、ネジ孔と端軸を設置し、
前記定位台の片側には、横向き軸孔を設置し、これに前記抵抗シャフトの端軸を挿入し、孔台において位置を限定し、前記定位台の中央には、縦向き軸孔とプラットフォームを設置し、前記プラットフォームは、前記フレーム体の第一定位プラットフォームに螺設し、
前記脚フレームユニットは、前記フレーム体底部に設置し、前記脚フレームユニットは、少なくとも第一側脚フレーム、第二側脚フレームを備えることを特徴とするセットアップテーブル。
【請求項２】
前記テーブル面の正面上には、少なくとも１個の通風口を設置し、
前記テーブル面の背面の、前記通風口に対応する位置には、少なくとも１個の散熱ファンを設置することを特徴とする請求項１に記載のセットアップテーブル。
【請求項３】
前記フレーム体片側にはさらに、脚フレーム固定台を設置し、
前記脚フレーム固定台は、磁性を備え、これにより前記第一側脚フレームを吸着して固定することを特徴とする請求項１に記載のセットアップテーブル。
【請求項４】
前記フレーム体の片側にはさらに、脚フレーム固定台を設置し、
前記脚フレーム固定台は、Ｃ型槽を備え、これにより前記第一側脚フレームを固定することを特徴とする請求項１に記載のセットアップテーブル。
【請求項５】
前記第一側脚フレームの他方側には、横棒部を設置し、
前記横棒部上には、少なくとも１個の固定板を嵌めることを特徴とする請求項１に記載のセットアップテーブル。
【請求項６】
前記第二側脚フレームの他方側には、横棒部を設置し、
前記横棒部上には、少なくとも１個のクッション体を嵌めることを特徴とする請求項１に記載のセットアップテーブル。
【請求項７】
前記テーブル面の底側には、サポート板を設置し、前記テーブル面の背面の底側には、第一軸台を設置し、これにより前記サポート板底側の第二軸台と相互に可動状に接続し、これに、第一支軸を挿入することで、前記サポート板回転の軸心を形成することを特徴とする請求項１に記載のセットアップテーブル。
【請求項８】
前記テーブル面の正面上には、少なくとも１個の通風口を設置し、
前記テーブル面の背面の、前記通風口に対応する位置には、少なくとも１個の散熱ファンを設置し、
前記テーブル面２の側辺には、USBポートを設置し、これにより前記散熱ファンに電力を供給することを特徴とする請求項１に記載のセットアップテーブル。
【請求項９】
前記前記テーブル面の片側辺には、ベルト体一端を固定し、他方の側辺には、ベルト体固定部を設置し、
前記ベルト体固定部には、前記ベルト体の自由端を粘着結合して定位することを特徴とする請求項１に記載のセットアップテーブル。
【請求項１０】
前記脚フレームユニットの第一側脚フレームは、片側に、第一脚端と第二脚端を備え、  前記第一脚端は、前記シャフトユニット４の内の１本の定位台の縦向き軸孔内に設置し、
前記第二脚端は、前記テーブル面の背面の片側の第二定位プラットフォームと固定台結合の位置限定槽内に設置することを特徴とする請求項１に記載のセットアップテーブル。
【請求項１１】
前記脚フレームユニットの第二側脚フレームは、片側に、第三脚端と第四脚端を備え、  前記第三脚端は、他方の前記シャフトユニットの定位台の縦向き軸孔内に設置し、
前記第四脚端は、前記テーブル面の背面の他方側の第二定位プラットフォームと固定台結合の位置限定槽内に設置することを特徴とする請求項１に記載のセットアップテーブル。
【請求項１２】
前記脚フレームユニットの第一側脚フレームと第二側脚フレームは、各２本のサポートフレームにより組成し、
前記４本のサポートフレームを外側へと広げ、セットアップテーブルを支えて立たせることができ、
前記４本のサポートフレームは、使用しない時には、前記テーブル面の背面に収納することができることを特徴とする請求項１に記載のセットアップテーブル。
【請求項１３】
前記テーブル面の背面中央には、第三軸台を設置し、
前記フレーム体下縁には、少なくとも１個の第四軸台を設置し、
前記第四軸台は、前記第三軸台と相互に可動状に接続し、これに第二支軸を挿入し、前記テーブル面回転の軸心を形成することを特徴とする請求項１に記載のセットアップテーブル。